(57)【要約】      （修正有）【課題】重ねて収納する際の収納効率を向上できるとともに、天板を起立状態とする際に、天板若しくは脚部と天板との間で指を挟むことを抑制できるテーブル及びそれに用いるテーブル用幕板を提供する。【解決手段】幕板１１は、左右方向の長さが、左右の脚部３，３の内端同士間の長さより短く形成された本体部１３と、本体部１３の左右の両側部に設けられ、かつ、脚部３における左右方向の外側端よりも外側に突出する突出部１４を有し、突出部１４は、その少なくとも脚部３と対向する部分が、本体部１３に対して、その表裏方向の何れの方向にも変形できるとともに、本体部１３の厚みよりも薄く形成した変形部１４ｃを有し、天板２を起立した状態において、変形部１４ｃと脚部３との間、及び、変形部１４ｃと天板２との間に空間１５，１６を形成した。【選択図】図８
2019088461.tif 000002
【特許請求の範囲】
【請求項１】
左右に配置された一対の脚部と、該脚部に対して倒伏可能に設けられた天板と、幕板を有し、該幕板の上部を前記天板に対して回動可能に連結し、前記幕板の下部を前記脚部に対して回動可能に連結したテーブルにおいて、
前記幕板は、左右方向の長さが、前記左右の脚部の内端同士間の長さより短く形成された本体部と、該本体部の左右の両側部に設けられ、かつ、前記脚部における左右方向の外側端よりも外側に突出する突出部を有し、
該突出部は、その少なくとも前記脚部と対向する部分が、前記本体部に対して、その表裏方向の何れの方向にも変形できるとともに、前記本体部の厚みよりも薄く形成した変形部を有し、
前記天板を起立した状態において、前記変形部と前記脚部との間、及び、前記変形部と前記天板との間に空間を形成したことを特徴とするテーブル。
【請求項２】
前記天板を起立した状態において、前記幕板の本体部の着座側端が、前記脚部の着座側と反対側端より着座側に位置することを特徴とする請求項１記載のテーブル。
【請求項３】
前記幕板の突出部は、本体部の表裏方向に可撓性を有する部材で構成したことを特徴とする請求項１又は２記載のテーブル。
【請求項４】
左右に配置された一対の脚部と、該脚部に対して倒伏可能に設けられた天板を有するテーブルに用いられ、上部を前記天板に対して回動可能に連結し、下部を前記脚部に対して回動可能に連結して用いるテーブル用幕板において、
左右方向の長さが、前記左右の脚部の内端同士間の長さより短く形成された本体部と、該本体部の左右の両側部に設けられ、かつ、前記脚部の左右方向の外側端よりも外側に突出する突出部を有し、
該突出部は、少なくとも一部が、前記本体部に対して、その表裏方向の何れの方向にも変形できるとともに、前記本体部の厚みよりも薄く形成した変形部を有することを特徴とするテーブル用幕板。
【発明の詳細な説明】
【技術分野】
【０００１】
本発明は、テーブル及びそれに用いるテーブル用幕板に関する。
【背景技術】
【０００２】
従来、図１５，図１６に示すように、左右に配置された一対の脚部１０１，１０１と、この脚部１０１，１０１の上部に、回動可能に設けられて起倒する天板１０２と、上部を天板１０２に対して回動可能に連結し、下部を脚部１０１，１０１に対して回動可能に連結した幕板１０４を有するフラップテーブル１０５が知られている。
【０００３】
近年、フラップテーブル１０５を、図１６に示すように、左右方向に並べた際に、机を並べた際の外観の美観の向上や、着座者の着座部が向かい側から見えないようにするためなどの観点から、隣接する幕板１０４，１０４同士の隙間１０７を小さくすることが行われている。
【０００４】
しかし、幕板１０４が、左右の脚部１０１，１０１における左右方向の外側端よりも外側に突出すると、図１５に示すように天板１０２を倒伏した状態から、図１７に示すように天板１０２を起立した状にすると、幕板１０４が、天板１０２と脚部１０１との間に位置することになり、幕板１０４と天板１０２の間、又は、幕板１０４と脚部１０１の間で指を挟む恐れがある。そのため、図１７に示すように、天板１０２を起立した状態において、幕板１０４と天板１０２の間、及び、幕板１０４と脚部１０１の間を、夫々、指の挟み込みを防止できる寸法に形成されている。
【発明の概要】
【発明が解決しようとする課題】
【０００５】
近年、図１７に示すように、複数台のテーブル１０５を天板１０２が起立した状態で、前後に重ねて収納する際におけるテーブル１０５の、収納効率を高めるために、収納した際の天板１０２，１０２間の距離Ｄ１を小さくすることが望まれている。
【０００６】
しかし、幕板１０４と天板１０２、幕板１０４と脚部１０１との間で指を挟まないように、天板１０２を起立した状態において、幕板１０４と天板１０２の間、及び、幕板１０４と脚部１０１の間を、夫々、指の挟み込みを防止できる寸法に設定する必要があるため、複数台のテーブルを重ねて収納した際の天板１０２，１０２間の距離Ｄ１を小さくすることには限界があった。
【０００７】
そこで本発明は、幕板を、左右の脚部における左右方向の外側端よりも外側に突出し、かつ、複数台のテーブルを天板が起立した状態で、重ねて収納する際の収納効率を、上記従来技術のテーブルよりも向上できるとともに、天板を倒伏状態から起立状態とする際に、天板若しくは脚部と幕板との間での指の挟み込む力を抑えることできるテーブル及びそれに用いるテーブル用幕板を提供することを目的とするものである。  
【課題を解決するための手段】
【０００８】
前記の課題を解決するために、請求項１記載の発明は、左右に配置された一対の脚部と、該脚部に対して倒伏可能に設けられた天板と、幕板を有し、該幕板の上部を前記天板に対して回動可能に連結し、前記幕板の下部を前記脚部に対して回動可能に連結したテーブルにおいて、
前記幕板は、左右方向の長さが、前記左右の脚部の内端同士間の長さより短く形成された本体部と、該本体部の左右の両側部に設けられ、かつ、前記脚部における左右方向の外側端よりも外側に突出する突出部を有し、
該突出部は、その少なくとも前記脚部と対向する部分が、前記本体部に対して、その表裏方向の何れの方向にも変形できるとともに、前記本体部の厚みよりも薄く形成した変形部を有し、
前記天板を起立した状態において、前記変形部と前記脚部との間、及び、前記変形部と前記天板との間に空間を形成したことを特徴とするテーブルである。
【０００９】
請求項２記載の発明は、請求項１記載のテーブルにおいて、前記天板を起立した状態において、前記幕板の本体部の着座側端が、前記脚部の着座側と反対側端より着座側に位置することを特徴とするものである。
【００１０】
請求項３記載の発明は、請求項１又は２記載のテーブルにおいて、前記幕板の突出部は、本体部の表裏方向に可撓性を有する部材で構成したことを特徴とするものである。
【００１１】
請求項４記載の発明は、左右に配置された一対の脚部と、該脚部に対して倒伏可能に設けられた天板を有するテーブルに用いられ、上部を前記天板に対して回動可能に連結し、下部を前記脚部に対して回動可能に連結して用いるテーブル用幕板において、
左右方向の長さが、前記左右の脚部の内端同士間の長さより短く形成された本体部と、該本体部の左右の両側部に設けられ、かつ、前記脚部の左右方向の外側端よりも外側に突出する突出部を有し、
該突出部は、少なくとも一部が、前記本体部に対して、その表裏方向の何れの方向にも変形できるとともに、前記本体部の厚みよりも薄く形成した変形部を有することを特徴とするテーブル用幕板である。
【発明の効果】
【００１２】
本発明によれば、左右方向の長さが、左右の脚部の内端同士間の長さより短く形成した本体部と、本体部の左右の両側部に設けられ、かつ、脚部における左右方向の外側端よりも外側に突出する突出部を有し、突出部は、少なくとも一部が、前記本体部に対して、その表裏方向の何れの方向にも変形できるとともに、本体部の厚みよりも薄く形成した変形部を有し、かつ、天板を起立した状態において、変形部と脚部との間、及び、変形部と天板との間に空間を形成したことにより、天板を倒伏状態から起立状態とする際に、脚部又は天板と、幕板との間に指が位置した際にも、変形部が変形することにより、指を挟む力を低減できる。
【００１３】
また、脚部と天板との間に位置する変形部を、本体部よりも薄く形成したことにより、前記従来技術よりも天板と脚部との間の隙間を薄く形成でき、複数台のテーブルを天板が起立した状態で、前後に重ねて収納する際の収納効率を、上記従来技術のテーブルよりも向上することができる。
【図面の簡単な説明】
【００１４】
【図１】本発明の実施例１を示すもので、天板を倒伏状態にしたテーブルの後面図。
【図２】図１の前面図。
【図３】図１の右側面図。
【図４】図１の後方から見た斜視図。
【図５】図１の状態から天板を起立するとともに、２台のテーブルを重ねた状態の右側面図。
【図６】本発明の実施例１に用いる幕板の斜視図。
【図７】図６の分解斜視図。
【図８】図１に係る幕板の非変形状態を示す要部拡大断面図。
【図９】図８の状態から変形部が変形した状態の一例を示す断面図。
【図１０】図８の状態から変形部が変形した状態の他例を示す断面図。
【図１１】本発明の実施例２に用いる幕板の要部拡大断面図。
【図１２】本発明の実施例３に用いる幕板の要部拡大断面図。
【図１３】本発明の実施例４に用いる幕板の要部拡大断面図。
【図１４】本発明の実施例５に用いる幕板の斜視図。
【図１５】従来技術を示すもので、天板を倒伏状態にしたテーブルの右側面図。
【図１６】図１５の前面図。
【図１７】図１５の状態から天板を起立するとともに、２台のテーブルを重ねた状態の右側面図。
【発明を実施するための形態】
【００１５】
本発明を実施するための形態を図に示す実施例に基づいて説明する。
【００１６】
［実施例１］
図１は、本実施例１に係るテーブル１の天板２を倒伏した状態の着席側から見た図、図２はその反対側から見た図で、以下において、着席者側と反対側を前側Ａ、着席者側を後側Ｂ、図２の右側を右側Ｃ、左側を左側Ｄとして説明する。
【００１７】
テーブル１は、左右に一対の脚部３，３を有し、各脚部３は、前後方向（Ａ−Ｂ方向）に設けた基部５を有し、基部５の前部と後部の下部にはテーブル１を移動する際に用いるキャスタ６，６が、上下方向の軸を中心として回動可能に設けられている。
【００１８】
基部５の前部には、上部に向かうほど後側Ｂに傾斜する立ち上がり部７が立設されている。立ち上がり部７の上端部には、取付金具８が立ち上がり部７に対して、前後方向に回動可能に設けられ、取付金具８には天板２が固設され、天板２が脚部３に対して、図３に示す倒伏（水平）状態と、図５に示す起立状態に起倒可能に設けられている。取付金具８、８間には棚板９が設けられている。
【００１９】
図５に示すように、天板２を起立した状態において、幕板１１の上部が、天板２と脚部３との間に位置するように設けられている。幕板１１は、図３に示すように、その上端部が、上側連結腕１０の下端部に左右方向（Ｃ−Ｄ方向）に設けた軸を中心として回動可能に連結され、上側連結腕１０の上端部は左右方向（Ｃ−Ｄ方向）に設けた軸を中心として天板２における前端部の下面に対して連結されている。すなわち、幕板１１の上端部は、天板２に対して回動可能に連結されている。
【００２０】
また、幕板１１は、その下端部が、下側連結腕１２の一端部に左右方向（Ｃ−Ｄ方向）に設けた軸を中心として回動可能に連結され、下側連結腕１２の他端部は左右方向（Ｃ−Ｄ方向）に設けた軸を中心として脚部３における上下方向の中央部に対して連結されている。すなわち、幕板１１の下端部は、脚部３に対して回動可能に連結されている。
【００２１】
幕板１１は、図１に示すように、左右方向（Ｃ−Ｄ方向）の長さＬ１が、左右の脚部３，３の内端同士間の長さＬ２より短く形成された本体部１３と、図７に示すように、本体部１３の左右の両側部に設けられ、かつ、図２に示すように、脚部３，３における左右方向の外側端よりも外側に突出する突出部１４，１４を有し、本体部１３と突出部１４は、別部材で構成されている。
【００２２】
本体部１３は、所定の厚みを有する長方形の板状に形成され、スチールなどの金属、硬質樹脂、木材等の素材を用いて、変形しにくい構造に構成することにより、その形状を保持できるようになっている。本実施例においては、本体部１３を硬質樹脂で構成し、本体部１３内に、図７に示すように、両側部が開口する中空部１３ａが上下方向に複数形成した。
【００２３】
突出部１４には、図７に示すように、取付部１４ａが形成され、取付部１４ａを本体部１３の中空部１３ａ内に挿入し、ビス等の取付金具により、突出部１４を本体部１３に対して固定することができるようになっている。
【００２４】
本体部１３は、図５に示すように天板２を起立した際に、図８〜図１０に示すように、その後側面（着座側面）１３ｂが、脚部３の前端面（着座側と反対側面）３ａより後側（着座側）に位置するようになっている。
【００２５】
突出部１４は、軟質樹脂又は半硬質樹脂など、可撓性及び復元性を有する部材で構成され、外力が加わっていない際には、図８に示すような所定の形状を保持でき、突出部１４に、その表裏方向（前後方向）への外力が加わった際に、図９，図１０に示すように、突出部１４、すなわち、本体部１３の表裏方向に変形できるようになっている。
【００２６】
突出部１４の基部１４ｂは、天板２を起立した状態において、図８〜図１０に示すように、左右の脚部３，３よりも内側に位置するように設けられている。そして、基部１４ｂの外側には変形部１４ｃが形成されており、その変形部１４ｃ全体は、本体部１３の厚みより薄く形成されている。変形部１４ｃの厚みは、外力が加わっていない際には所定の形状を保持でき、外力が加わった際に、本体部１３の表裏方向に変形できるように設定されている。変形部１４ｃと基部１４ｂと本体部１３の前側面は、図８に示すように、外力が作用していない状態では、略同一平面となるように形成されている。
【００２７】
また、天板２を起立した際に、図８に示すように、変形部１４ｃと脚部３との間には、所定の距離を有する空間１５が形成され、変形部１４ｃと天板２との間には、所定の距離を有する空間１６が形成されている。
【００２８】
これにより、図９，図１０に示すように、変形部１４ｃは、その表裏方向への外力が加わった際に、本体部１３の表裏方向に撓み変形し、外力が作用しなくなれば、図８に示す形状に復元するようになっている。
【００２９】
本実施例１のテーブル１は、上記構成を有することにより、次の作用、効果を奏する。
【００３０】
幕板１１の本体部１３の左右方向（Ｃ−Ｄ方向）の長さＬ１を、前記左右の脚部３，３の内端同士間の長さＬ２より短く形成したことにより、天板２を起立した際に、本体部１３は、天板２と脚部３とは干渉しないため、その後側面を、脚部３の前端より後側に位置するようにすることができ、本体部１３を、任意の厚みに設定することができる。そのため、本体部１３の厚みは、複数台のテーブル１，１を、天板２を起立させた状態で、前後に重ねて収納する際における天板２，２間の距離Ｌ３に影響を及ぼさず、幕板１１の剛性を得るために必要な厚みで構成することができる。
【００３１】
また、天板２を起立した際に、天板２と脚部３との間に位置する突出部１４の変形部１４ｃを、本体部１３よりも薄く形成するとともに、本体部１３の表裏方向に変形できるようにし、かつ、変形部１４ｃと天板２との間に空間１６を形成したことにより、図９に示すように、脚部３と変形部１４ｃとの間に、指２０が位置したとしても、変形部１４ｃが前側方向に変形することにより、指２０を挟む力を低減でき、また、図１０に示すように、変形部１４ｃと脚部３との間に空間１５を形成したことにより、天板２と変形部１４ｃとの間に、指２０が位置したとしても、変形部１４ｃが後側方向に変形することにより、指２０を挟む力を低減できる。
【００３２】
このように、テーブル１は、天板２を起立した際に、指を挟む力を低減できるために、前記従来技術のように、天板１０２を起立した状態において、幕板１０４と天板１０２の間、及び、幕板１０４と脚部１０１の間を、夫々、指の挟み込みを防止できる寸法に設定する必要がなく、脚部３と天板３間の距離を上記従来技術よりも短くできる。それにより、複数台のテーブル１，１を重ねて収納する際における天板２，２間の距離Ｌ３を上記従来技術のテーブル１０５よりも短くすることができる。
【００３３】
更に、上記従来技術の幕板１０４においては、その左右方向の全長に亘って厚みが一定に形成されていることにより、既存の幕板を有さないものに取付けるには、脚部と天板との間がかなり大きなものでなければ取付けることが困難であるが、上記実施例１と同様の構造を有する幕板１１は、変形部１４ｃの厚みが薄いことから、既存の幕板を有さないものに取付けた場合でも、変形部１４ｃと脚部３との空間を確保することができ、天板２を起立する際の指挟みを抑制することができる。
【００３４】
また、上記従来技術の幕板１０４は左右方向の厚みが全長に亘って一定に形成されているために、テーブル１０５から幕板１０４を取外した商品は、他の幕板がないものとして設計されたテーブルと比較すると、収納した際の天板１０２，１０２間の距離Ｄ１が大きくなり商品性が劣り、幕板１０４の有無で他部材を兼用することは困難であった、しかし、本発明のテーブル１から幕板１１を取外した商品を構成した場合にも、脚部３と天板２間の距離を短く設定していることから、複数台のテーブル１，１を重ねて収納する際における天板２，２間の距離Ｌ３も、幕板のないものとして設計されたテーブルと比較しても、その差を小さくすることができるので、部材を兼用して、幕板１１の有無の２種類の商品を構成した場合、部材兼用による製品コストを低減することができるため、商品性が見劣りすることがない。
【００３５】
なお、上記実施例においては、本体部１３と突出部１４を別部材で構成したが、本体部１３と突出部１４を一体に一つの部材で構成してもよい。
【００３６】
［実施例２］
上記実施例１では、幕板１１の突出部１４において、基部１４ｂ以外の部分全体を、本体部１３の厚みより薄く形成したが、突出部１４において、脚部３と空間１５を介して対向する部分で構成される部分のみを本体部１３の厚みより薄い薄肉部に形成し、この薄肉部を変形部１４ｃとしてもよい。例えば、図１１に示すように、変形部１４ｃより左右方向の外側に位置する肉厚部１４ｄを、本体部１３と同じ厚みに形成してもよい。
【００３７】
上記以外の構成は、前記実施例１と同様であるため、前記実施例１と同様の部分は、同様の符号を付し、説明を省略する。
【００３８】
また、本実施例２においても、前記実施例１と同様の作用、効果を奏する。
【００３９】
［実施例３］
本実施例３は、上記実施例１，２における突出部１４の変形例で、図１２に示すように、基部１４ｂの左右方向の外側に、前後方向への曲折を、左右方向の内側から外側に連続して複数回繰り返して設けた曲折部２０を設け、この曲折部２０が変形することにより、その左右方向の外側部を、前後方向に変形できるようにして突出部２２を構成したものである。更に、この曲折部２０より外側のうち、少なくとも、脚部３と対向する部分は、本体部１３よりも薄く形成して変形部２１を構成している。
【００４０】
上記以外の構成は、前記実施例１，２と同様であるため、前記実施例１，２と同様の部分は、同様の符号を付し、説明を省略する。
【００４１】
また、本実施例３においても、前記実施例１，２と同様の作用、効果を奏する。
【００４２】
［実施例４］
本実施例４は、上記実施例１，２における突出部１４の変形例で、図１３に示すように、基部１４ｂに回転軸３０を設け、この回転軸３０に基部１４ｂとは別体で構成した変形部３１を、本体部１３の表裏方向に回動可能に連結して突出部３２を構成したものである。
【００４３】
回転軸３０には、コイルバネや板バネなどの付勢部材３３が固設されており、付勢部材３３により、変形部３１の裏面が、図１３の実線で示すように、本体部１３と並行となるように付勢されている。これにより、変形部３１に前後方向への外力が作用して、図１３の鎖線で示すように、変形部３１が、前側方向又は後側方向に回動しても、外力が作用しなくなった場合には、図１３の実線で示すように、本体部１３と並行する位置に復元するようになっている。
【００４４】
上記以外の構成は、前記実施例１，２と同様であるために、前記実施例１，２と同様の符号を付し、説明を省略する。
【００４５】
また、本実施例４においても、前記実施例１，２と同様の作用、効果を奏する。
【００４６】
［実施例５］
本実施例５は、上記実施例１〜４における幕板１１の変形例で、図１４に示すように、軟質の樹脂等で構成され、表裏方向に変形可能な軟質材４１と、変形しにくい素材、構造で構成することにより、その形状を保持できる硬質材４２を積層することにより幕板４３を構成した実施例である。
【００４７】
硬質材４２の横方向の長さは、左右の脚部３，３の内端同士間の長さＬ２より短く形成され、軟質材４１の横方向の長さは、硬質材４２の横方向の長さより長く、かつ、脚部３，３における横方向の両側端よりも外側に突出するように形成されている。
【００４８】
軟質材４１の横方向の両側部で、かつ、硬質材４２が積層されていない部分は、表裏方向に変形でき、変形部４４を構成している。この変形部４４は、硬質材４２と軟質材４１が積層された部分の厚みよりも薄ければ、任意の形状に形成することができる。また、硬質材４２と軟質材４１が積層された部分は、本体部４５を構成する。
【００４９】
上記以外の構成は、前記実施例１，２と同様であるために、前記実施例１，２と同様の符号を付し、説明を省略する。
【００５０】
また、本実施例５においても、前記実施例１，２と同様の作用、効果を奏する。
【符号の説明】
【００５１】
１    テーブル
２    天板
３    脚部
３ａ  着座側と反対側面
１１，４３  幕板
１３，４５  本体部
１３ｂ  着座側面
１４，２２，３２  突出部
１４ｃ，２１，３１，４４  変形部
１５，１６  空間
【図１】
2019088461.tif 000003
【図２】
2019088461.tif 000004
【図３】
2019088461.tif 000005
【図４】
2019088461.tif 000006
【図５】
2019088461.tif 000007
【図６】
2019088461.tif 000008
【図７】
2019088461.tif 000009
【図８】
2019088461.tif 000010
【図９】
2019088461.tif 000011
【図１０】
2019088461.tif 000012
【図１１】
2019088461.tif 000013
【図１２】
2019088461.tif 000014
【図１３】
2019088461.tif 000015
【図１４】
2019088461.tif 000016
【図１５】
2019088461.tif 000017
【図１６】
2019088461.tif 000018
【図１７】
2019088461.tif 000019